(57)【要約】  引出し（３）、特に引出し側壁（４）に前板（２）を解離可能に固定するための固定装置（１）であって、前板に組付け可能な少なくとも２つの結合要素（５）と、引出しに割り当てられ、少なくとも２つの結合要素（５）を、好ましくは解離可能にロックするための少なくとも２つのロック装置（６，７）とを備え、これら少なくとも２つのロック装置（６，７）を互いに繋ぐ少なくとも１つのケーブル（８）が設けられている、固定装置（１）。
2022501154.tif 000002
【特許請求の範囲】
【請求項１】
引出し（３）、特に引出し側壁（４）に前板（２）を解離可能に固定するための固定装置（１）であって、前記前板に組付け可能な少なくとも２つの結合要素（５）と、前記引出しに配置され、前記少なくとも２つの結合要素（５）を、好ましくは解離可能にロックするための少なくとも２つのロック装置（６，７）とを備える、固定装置（１）において、前記少なくとも２つのロック装置（６，７）を互いに繋ぐ少なくとも１つのケーブル（８）が設けられていることを特徴とする、固定装置（１）。
【請求項２】
前記少なくとも２つのロック装置（６，７）のうちの少なくとも１つのロック装置は、真っ直ぐな区分（１０）を備える少なくとも１つの旋回レバー（９）を有し、前記少なくとも１つのケーブル（８）は、該少なくとも１つのケーブル（８）が少なくとも部分的に前記少なくとも１つの旋回レバー（９）の前記真っ直ぐな区分（１０）と７０°〜１００°、好ましくは７５°〜９０°の角度（Ｗ）を成すように、前記少なくとも１つの旋回レバー（９）に結合されている、請求項１記載の固定装置。
【請求項３】
前記少なくとも２つのロック装置（６，７）のうちの少なくとも１つのロック装置は、少なくとも１つの旋回レバー（９）を有し、該旋回レバー（９）は、第１の位置と第２の位置との間で１つの軌跡に沿って運動可能であり、前記少なくとも１つのケーブル（８）はケーブル端部（１１）を介して、該ケーブル端部（１１）が前記軌跡に対して実質的に平行に方向付けられているように、前記旋回レバー（９）に固定されている、請求項１記載の固定装置。
【請求項４】
前記少なくとも１つのケーブル（８）を案内する少なくとも１つの変向装置（１２）が設けられており、好ましくは、該少なくとも１つの変向装置（１２）は少なくとも１つの変向ローラ（１３）を有する、請求項１から３までのいずれか１項記載の固定装置。
【請求項５】
前記少なくとも２つのロック装置のうちの第１のロック装置（６，７）を、前記少なくとも２つの結合要素（５）のうちの１つの結合要素をロックすることができるロック位置に保持するための力を、当該第１のロック装置（６，７）に加える、少なくとも１つの蓄力器（１４，２４）が設けられている、請求項１から４までのいずれか１項記載の固定装置。
【請求項６】
前記少なくとも１つの蓄力器（１４，２４）は、前記少なくとも２つのロック装置のうちの第２のロック装置（６，７）を、前記少なくとも２つの結合要素（５）のうちの１つの結合要素を解離することができる解離位置に保持するための力を前記少なくとも１つのケーブルを介して前記第２のロック装置（６，７）に加える、請求項５記載の固定装置。
【請求項７】
前記少なくとも１つのケーブル（８）を、前記少なくとも２つのロック装置（６，７）のうちの少なくとも１つのロック装置に、旋回可能に支持する少なくとも１つの支持装置（１５）が設けられている、請求項１から６までのいずれか１項記載の固定装置。
【請求項８】
前記第２のロック装置（６，７）を、前記少なくとも２つの結合要素（５）のうちの１つの結合要素をロックすることができるロック位置に保持するための力を、前記少なくとも２つのロック装置のそれぞれ１つのロック装置（６，７）に加える少なくとも２つの蓄力器（１４，２４）が設けられている、請求項５または６記載の固定装置。
【請求項９】
前記少なくとも２つのロック装置（６，７）が運動可能に、好ましくは旋回可能に支持されている少なくとも１つの調整プレート（１６）が設けられており、好ましくは、前記固定装置（１）を前記引出し（３）に組み付けるための少なくとも１つの組付けプレート（１７）が設けられており、前記少なくとも１つの調整プレート（１６）は、前記少なくとも１つの組付けプレート（１７）に対して相対的に調整可能に支持されている、請求項１から８までのいずれか１項記載の固定装置。
【請求項１０】
前記少なくとも２つのロック装置（６，７）を、前記少なくとも２つの結合要素（５）をロックすることができるロック位置から、前記少なくとも２つの結合要素（５）を解離することができる解離位置へと、好ましくは同時に運動させることができる少なくとも１つの解離装置（１８）が設けられており、好ましくは、該少なくとも１つの解離装置（１８）は、少なくとも１つの工具収容部（１９）を有する、請求項１から９までのいずれか１項記載の固定装置。
【請求項１１】
前記少なくとも２つのロック装置（６，７）のうちの少なくとも１つのロック装置は、前記少なくとも２つの結合要素（５）のうちの少なくとも１つの結合要素を挿入時に受け止めかつ前記引出し（３）に向かって自動的に引っ張るように構成された少なくとも１つの捕捉装置（２０）を有する、請求項１から１０までのいずれか１項記載の固定装置。
【請求項１２】
前記少なくとも２つのロック装置（６，７）のうちの少なくとも１つのロック装置は、少なくとも１つの第１のレバー（２１）と、該第１のレバー（２１）に連結された第２のレバー（２２）とを有する、請求項１から１１までのいずれか１項記載の固定装置。
【請求項１３】
前記少なくとも２つのロック装置（６，７）のうちの少なくとも１つのロック装置は少なくとも１つの斜面（２３）を有しており、前記少なくとも２つの結合要素（５）のうちの１つの結合要素の挿入によって、前記少なくとも１つの斜面（２３）を介して、好ましくは１つの蓄力器（１４，２４）による力作用に抗して前記ロック装置（６，７）を少なくとも部分的に押し退けることができる、請求項１から１２までのいずれか１項記載の固定装置。
【請求項１４】
前記少なくとも２つの結合要素（５）は、少なくとも２つの互いに独立した家具用金具または１つの共通の家具用金具に形成されている、請求項１から１３までのいずれか１項記載の固定装置。
【請求項１５】
引出し（３）と、前板（２）と、前記引出し（３）に前記前板（２）を解離可能に固定するための、請求項１から１４までのいずれか１項記載の少なくとも１つの固定装置（１）とから成るアセンブリであって、好ましくは、前記引出し（３）は、少なくとも部分的に中空に形成された少なくとも１つの引出し側壁（４）を有し、該少なくとも１つの引出し側壁（４）内に前記少なくとも１つの固定装置（１）の主たる部分が配置されている、アセンブリ。
【請求項１６】
請求項１５記載の少なくとも１つのアセンブリを備える家具（１００）。
【発明の詳細な説明】
【技術分野】
【０００１】
本発明は、引出し、特に引出し側壁に前板を解離可能に固定するための固定装置であって、前板に組付け可能な少なくとも２つの結合要素と、引出しに配置された、少なくとも２つの結合要素を、好ましくは解離可能にロックするための少なくとも２つのロック装置とを備える、固定装置に関する。
【０００２】
さらに、本発明は、引出しと、前板と、引出しに前板を解離可能に固定するための、前述したような少なくとも１つの固定装置とから成るアセンブリと、このような少なくとも１つのアセンブリを備える家具とに関する。
【０００３】
引出しに前板を解離可能に固定するための固定装置は、すでに先行技術に基づき公知である。
【０００４】
本出願人が所有するＡＴ５０９３２／２０１７には、引出し、特に引出し側壁に前板を解離可能に固定するための固定装置が開示されている。この固定装置は、高い前板に対する実施例において、２つのロック装置を有している。これら両ロック装置の運動は、リンク機構によって連結されている。したがって、ロック装置を同時にロックまたはロック解除することができる。
【０００５】
ロック装置のこのような形態の運動連結は、特に前板の高さが高まるにつれて複数の欠点を有している。
【０００６】
リンク機構の所要の変向に基づき、１つには、連結のために多数の構成部材が必要となる。もう１つには、変向を伴うこのようなリンク機構のために比較的多くの構成スペースが必要となる。
【０００７】
さらに、ロック装置同士の間での力伝達が、押圧力を加えることによってしか行われない。
【０００８】
欠点として、さらに、ロック解除プロセスに際して、ロック解除装置を操作するために比較的大きな操作力が必要となる。なぜならば、リンク機構の作用点がロック解除装置の回動点の近くに位置しているからである。
【０００９】
ロック装置同士を１つのリンク機構によって連結する際には、さらに、前板のあらゆる構成高さに対して、これに対応した固有のリンク機構を設けることが必要となる。
【００１０】
本発明の課題は、先行技術の欠点を排除して、先行技術に比べて改善された固定装置を提供することである。更なる課題は、このような改善された固定装置を備えたアセンブリと、このような少なくとも１つのアセンブリを備える家具とを提供することにある。
【００１１】
これらの課題は、独立請求項１，１５および１６の特徴によって解決される。
【００１２】
つまり、固定装置に関して、少なくとも２つのロック装置を互いに繋ぐ少なくとも１つのケーブルが設けられていることが特定されている。
【００１３】
少なくとも２つのロック装置を１つのケーブルを用いて連結することによって、構成部材とスペースとを節約した固定装置の構造形態が可能となる。なぜならば、変向を伴う手間のかかるリンク機構が不要となるからである。
【００１４】
さらに、少なくとも２つのロック装置の間での力伝達を引張力を加えることによって行うことが可能となる。
【００１５】
さらに、ケーブルの作用点とロック解除装置の回動点との間隔を、ロック解除装置を操作するための操作力が減じられるように選択することができる。
【００１６】
さらに、前板の構成高さを変更するに際には、ケーブルの長さを適合させさえすればよい。
【００１７】
本発明の別の有利な構成は従属請求項に定義してある。
【００１８】
本発明の好適な実施形態によれば、少なくとも２つのロック装置のうちの少なくとも１つのロック装置は、真っ直ぐな区分を備える少なくとも１つの旋回レバーを有し、少なくとも１つのケーブルは、この少なくとも１つのケーブルが少なくとも部分的に少なくとも１つの旋回レバーの真っ直ぐな区分と７０°〜１００°、好ましくは７５°〜９０°の角度を成すように、少なくとも１つの旋回レバーに結合されていることが特定されている。
【００１９】
さらに、少なくとも２つのロック装置のうちの少なくとも１つのロック装置は、少なくとも１つの旋回レバーを有し、この旋回レバーは、第１の位置と第２の位置との間で１つの軌跡に沿って運動可能であり、少なくとも１つのケーブルはケーブル端部を介して、このケーブル端部が軌跡に対して実質的に平行に方向付けられているように、旋回レバーに固定されていると有利であると判った。
【００２０】
これによって、旋回レバーとケーブルとの間で可能な限り良好な力伝達が行われることが確保されている。
【００２１】
本発明の別の態様によれば、少なくとも１つのケーブルを案内する少なくとも１つの変向装置が設けられており、好ましくは、この少なくとも１つの変向装置は少なくとも１つの変向ローラを有する。
【００２２】
このことは、ケーブルを固定装置の内部で可能な限り良好にガイドすることができるという利点を有している。
【００２３】
少なくとも２つのロック装置のうちの第１のロック装置を、少なくとも２つの結合要素のうちの１つの結合要素をロックすることができるロック位置に保持するための力を、当該第１のロック装置に加える、少なくとも１つの蓄力器が設けられていると、特に有利であると判った。
【００２４】
これによって、第１のロック装置の確実なロックが確保される。
【００２５】
好ましくは、少なくとも１つの蓄力器は、少なくとも２つのロック装置のうちの第２のロック装置を、少なくとも２つの結合要素のうちの１つの結合要素を解離することができる解離位置に保持するための力を少なくとも１つのケーブルを介して第２のロック装置に加えることが特定されていてよい。
【００２６】
本発明の別の態様によれば、少なくとも１つのケーブルを、少なくとも２つのロック装置のうちの少なくとも１つのロック装置に、旋回可能に支持する少なくとも１つの支持装置が設けられている。
【００２７】
このことは、ケーブルの耐久性に役立つ。なぜならば、支持装置によって、ケーブルに切欠き作用が生じないからである。
【００２８】
また、少なくとも２つのロック装置が運動可能に、好ましくは旋回可能に支持されている少なくとも１つの調整プレートが設けられており、好ましくは、固定装置を引出しに組み付けるための少なくとも１つの組付けプレートが設けられており、少なくとも１つの調整プレートは、少なくとも１つの組付けプレートに対して相対的に調整可能に支持されていることが特定されていてもよい。
【００２９】
これによって、前板の位置を引出しに対して相対的に調整することができる。
【００３０】
少なくとも２つのロック装置を、少なくとも２つの結合要素をロックすることができるロック位置から、少なくとも２つの結合要素を解離することができる解離位置へと、好ましくは同時に運動させることができる少なくとも１つの解離装置が設けられており、好ましくは、この少なくとも１つの解離装置は、少なくとも１つの工具収容部を有すると、特に有利であると判った。
【００３１】
これによって、ロックプロセスとロック解除プロセスとを繰り返すことができる。
【００３２】
また、少なくとも２つのロック装置のうちの少なくとも１つのロック装置は、少なくとも２つの結合要素のうちの少なくとも１つの結合要素を挿入時に受け止めかつ引出しに向かって自動的に引っ張るように構成された少なくとも１つの捕捉装置を有することが特定されていてもよい。
【００３３】
これによって、引出しへの前板の固定が容易になる。
【００３４】
本発明の別の実施形態によれば、少なくとも２つのロック装置のうちの少なくとも１つのロック装置は、少なくとも１つの第１のレバーと、この第１のレバーに連結された第２のレバーとを有する。
【００３５】
好ましくは、少なくとも２つのロック装置のうちの少なくとも１つのロック装置は少なくとも１つの斜面を有しており、少なくとも２つの結合要素のうちの１つの結合要素の挿入によって、少なくとも１つの斜面を介して、好ましくは１つの蓄力器による力作用に抗してロック装置を少なくとも部分的に押し退けることができることが特定されていてよい。
【００３６】
これによって、引出しへの前板の固定が容易になる。
【００３７】
本発明の別の態様によれば、少なくとも２つの結合要素は、少なくとも２つの互いに独立した家具用金具または１つの共通の家具用金具に形成されていることが特定されていてよい。
【００３８】
冒頭に記載したように、引出しと、前板と、引出しに前板を解離可能に固定するための本発明に係る少なくとも１つの固定装置とから成るアセンブリであって、好ましくは、引出しは、少なくとも部分的に中空に形成された少なくとも１つの引出し側壁を有し、この少なくとも１つの引出し側壁内に少なくとも１つの固定装置の主たる部分が配置されている、アセンブリと、このような少なくとも１つのアセンブリを備える家具とに対しても保護が要求される。
【００３９】
本発明の更なる詳細および利点を図説に基づき図面を参照しながら以下に詳しく説明する。
【図面の簡単な説明】
【００４０】
【図１ａ】本発明に係るアセンブリを備えた家具の斜視的な正面図である。
【図１ｂ】本発明に係るアセンブリを備えた家具の斜視的な背面図である。
【図２】結合要素を備えた本発明に係る固定装置を解離位置で示す図である。
【図３】結合要素を備えた本発明に係る固定装置をロック位置で示す図である。
【図４】結合要素を備えた本発明に係る固定装置の解離位置の斜視図である。
【図５】結合要素を備えた本発明に係る固定装置のロック位置の斜視図である。
【図６】結合要素を備えた本発明に係る固定装置の分解図である。
【００４１】
図１ａには、家具１００の斜視的な正面ないし側面図が示してある。この家具１００は、家具本体１０１内に３つの引出し３を有している。これらの引出し３は、家具本体１０１内で可動に引出し用引出しガイド１０２に支持されていて、２つの引出し側壁４と、１つの前板２と、１つの引出し背壁１０３とをそれぞれ有している。前板２は、図１ａには示していない固定装置１（図２参照）を介して引出し３の両側壁４に固定されている。
【００４２】
図１ｂには、まさに図１ａでも説明したように、やはり３つの引出し３を備えた家具１００の斜視的な側面ないし背面図が示してある。一番上側の引出し３には、前板２がまだ組み付けられていない。この理由から、４つの家具用金具２９，３０を認めることができる。これらの家具用金具２９，３０の結合要素５を介して、固定装置１によって、引出し側壁４への結合が行われる。
【００４３】
図２には、前板２を引出し３に解離可能に固定するための固定装置１の実施例が解離位置で示してある。図２には、２つのロック装置６，７を認めることができる。両ロック装置６，７は１つのケーブル８によって互いに繋げられている。
【００４４】
第１のロック装置６は解離装置１８を有している。この解離装置１８は工具収容部１９を有している。
【００４５】
第１のロック装置６は、さらに、すでに先行技術に基づき公知の捕捉装置２０を有することができる。
【００４６】
さらに、旋回レバー９を認めることができる。この旋回レバー９は真っ直ぐな区分１０を有している。旋回レバー９は、さらに、圧縮ばねとして形成された第１の蓄力器１４用のガイドとして働く。しかしながら、第１の蓄力器１４はガス圧ばねまたはこれに類するものとして形成されていてもよい。
【００４７】
第２のロック装置７は、第１のレバー２１と、この第１のレバー２１に連結された第２のレバー２２とを有している。
【００４８】
第２のロック装置７は、さらに、第１のレバーに配置された斜面２３を有している。
【００４９】
さらに、引張ばねとして形成された第２の蓄力器２４が認められる。この第２の蓄力器もガス圧ばねまたはこれに類するものとして形成されていてよい。
【００５０】
さらに、明らかであるように、ケーブル８は２つの支持装置１５にて旋回可能にロック装置６，７に支持されている。ケーブル８は、さらに、変向ローラ１３を有する変向装置１２を介して変向させられる。ケーブル端部１１は、旋回レバー９の真っ直ぐな区分１０と角度Ｗを成している。
【００５１】
図２には、さらに、固定装置１を引出し３に組み付けるための組付けプレート１７が示してある。この組付けプレート１７には、調整プレート１６が配置されている。この調整プレート１６は、調整装置２５を介して組付けプレート１７に対して相対的に調整することができる。
【００５２】
この実施例では、ロック装置６，７が運動可能に調整プレート１６に配置されている。
【００５３】
さらに、家具用金具２９，３０が認められる。この家具用金具２９，３０は、前板２に家具用金具２９，３０を固定するための固定要素２６と、結合要素５と、下側の家具用金具２９の場合には横方向ピン２７または上側の家具用金具３０の場合にはピン２８とを有している。
【００５４】
家具用金具２９，３０は、少なくとも２つの結合要素５と、少なくとも２つの固定要素２６と、少なくとも１つの横方向ピン２７と、少なくとも１つのピン２８とを備えた単一の家具用金具として形成されていてもよい。
【００５５】
ここで、固定装置１の機能形態を図２および図３もしくは図４および図５に基づき説明する。
【００５６】
図２には、結合要素５が固定装置１内に進入する直前の固定装置１が示してある。ロック装置６，７は、結合要素５がロック装置６，７に対して自由に運動可能である解離位置に位置している。
【００５７】
第１のロック装置６は、蓄力器１４によって死点超過位置に保持される。第２のロック装置７は、第１のロック装置６によってケーブル８を介して第２の蓄力器２４の力に抗して解離位置に保持される。
【００５８】
捕捉装置２０は準備位置に位置している。
【００５９】
前板２ひいては結合要素５が引出し３の方向に運動させられると、横方向ピン２７が第１のロック装置６に衝突し、ピン２８が第２のロック装置７の第１のレバー２１と斜面２３とに衝突する。このとき、捕捉装置２０が横方向ピン２７を受け止める。
【００６０】
捕捉装置２０は、その後、公知の形式で家具用金具２９の横方向ピン２７ひいては結合要素５を引出し３に向かって自動的に引っ張る。
【００６１】
第１のロック装置６は、家具用金具２９の結合要素５の進入によって死点超過位置から死点を越えて移動させられる。これによって、第１のロック装置６が第１の蓄力器１４によってロック位置に移動させられる。ケーブル８はもはや第２の蓄力器２４に抗して作用しないので、第２のロック装置７が第２の蓄力器２４によってロック位置に運動させられる。
【００６２】
ロック装置６，７はすでにロックされているものの、家具用金具３０の結合要素５がまだ第２のロック装置７内に進入させられていないことがあり得る。この場合には、第２のロック装置７の第１のレバー２１を、斜面２３を介して家具用金具３０の結合要素５によって押し退けることができ、したがって、家具用金具３０の結合要素５を完全に第２のロック装置７内に移動させてロックすることができる。
【００６３】
図３には、固定装置１がロック位置で示してある。明らかであるように、ロック装置６，７は結合要素５を収容していて、ロックしている。
【００６４】
前板２を再び引出し３から解離したい場合には、工具、例えばねじ回しによって工具収容部１９を介して解離装置１８を操作することができる。
【００６５】
解離装置１８の操作によって、第１のロック装置６が死点を介して死点超過位置に移動させられる。第１の蓄力器１４は第１のロック装置６をこの死点超過・解離位置に保持する。ケーブル８によって、同時に第２のロック装置７も第２の蓄力器２４の力作用に抗して解離位置に運動させられる。
【００６６】
これによって、結合要素５が再びロック装置６，７に対して自由に運動可能となる。したがって、前板２を引出し３から分離することができる。
【００６７】
図４もしくは図５には、固定装置１が再び解離位置もしくはロック位置で示してあるものの、本発明をより理解しやすくするために、斜視図で示してある。
【００６８】
図６には、固定装置１が分解図で示してある。これによって、固定装置１の構造がより明確に判る。
【図１ａ】
2022501154.tif 000003
【図１ｂ】
2022501154.tif 000004
【図２】
2022501154.tif 000005
【図３】
2022501154.tif 000006
【図４】
2022501154.tif 000007
【図５】
2022501154.tif 000008
【図６】
2022501154.tif 000009
【国際調査報告】
2022501154.tif 000010
2022501154.tif 000011
2022501154.tif 000012
2022501154.tif 000013